(57)【要約】【課題】グリル皿を可動させるとき、グリル皿を載置しているワイヤーフレームがグリル庫内壁に擦れ、長期間使用していると、削れや調理物からの脂などによって摩擦力が大きくなり、グリル皿を可動させる負荷が大ききなる。【解決手段】グリル庫１１入口側に回転可動な固定ローラー１５を設置した固定レール１３と、固定ローラー１５の外周に接触し、かつ左右の動きを制限され前後方向に動く移動レール１７とを備え、移動レール１７のグリル庫１１奥側には、固定レール１３に外周が接触しかつ左右の動きが制限される移動ローラー２０を設け、移動レール１７にグリル皿１２を載置させ、連動して可動させることにより、グリル皿１２を引き出すとき、固定ローラー１５、移動ローラー２０よる可動部分の接触面積の低下により、長期間使用してもスムースでガタツキのない可動が可能となる。【選択図】  図２
2004353960.tif 000002
【特許請求の範囲】
【請求項１】
調理物を載置するグリル網と、前記グリル網の下方に設けたグリル皿と、前記グリル皿を収納するグリル庫と、前記グリル庫入口側に取り付けた固定ローラーを有する固定レールと、前記固定ローラーの外周に接触し左右の動きが制限され前後方向に動く移動レールと、移動レールのグリル庫奥側には固定レールに外周が接触し左右の動きが制限される移動ローラーを備え、前記移動レールにグリル皿を載置させ、連動して可動する機構を有したガス調理器。
【請求項２】
調理物下方の左右に棒状バーナを備え、前記バーナの下方に固定レールと移動レールを備えてなる請求項１記載のガス調理器。
【請求項３】
左右の移動レールを連結した状態でグリル皿を載置し、連動して可動する構成とした請求項１または２記載のガス調理器。
【請求項４】
左右の移動レールの連結を少なくとも前後２箇所で連結する構成とした請求項３記載のガス調理器。
【請求項５】
調理物を載置するグリル網と、前記グリル網の下方に設けたグリル皿と、前記グリル皿を収納するグリル庫を有し、前記グリル庫入口側には回転可動なローラーを取り付け、前記グリル皿の下部には前記ローラーの外周に接触し、かつ左右の動きを制限されるレールを取り付け、前記レール奥側のグリル庫との接触点を半球状の形状としたガス調理器。
【請求項６】
グリル庫側のレールの接触面に低摩擦性の表面処理を施したことを特徴とする請求項５記載のガス調理器。
【請求項７】
グリル皿の前面に設けた内部確認用の前面ガラスの上部に、断熱体を設けたことを特徴とする請求項１〜６のいずれか１項に記載のガス調理器。
【発明の詳細な説明】
【０００１】
【発明の属する技術分野】
本発明はガス燃料を熱源とするガス調理器に関するものである。
【０００２】
【従来の技術】
従来この種のガスグリルは、グリル庫の前面開口にグリル庫を前方向に開閉自在に設けるとともに、グリル庫の底板上に前記グリル扉と連結したグリル皿を摺動自在に設置され、グリル扉を前方向に水平移動させたときグリル皿が連動してグリル庫から引きだされる構成となっていた（例えば、特許文献１）。
【０００３】
【特許文献１】
特開平６−７０８５４号公報
【０００４】
【発明が解決しようとする課題】
しかしながら従来のガス調理器は、グリル皿を可動させるとき、グリル皿を載置しているワイヤーフレームがグリル庫内壁を擦り、長期間使用していると、削れや調理物からの脂などによって摩擦力が大きくなり、グリル皿を可動させる負荷が大きくなるという課題があった。また、グリル皿を載置しているワイヤーフレームとワイヤーフレームが当接している部分のグリル庫内壁とのクリアランスを大きくとるとグリル皿を引き出すときのガタツキが大きくなり、逆にクリアランスを小さくとると加熱したときの熱膨張により当接している部分の摩擦力が大きくなるといった課題があった。
【０００５】
【課題を解決するための手段】
上記課題解決するため本発明のガス調理器は、グリル庫入口側に回転可動な固定ローラーを設置した固定レールを取り付け、前記固定ローラーの外周に接触し、かつ左右の動きが制限され前後方向に動く移動レールと、前記移動レールのグリル庫奥側には固定レールに外周が接触し、かつ左右の動きが制限される移動ローラーを備え、前記移動レールにグリル皿を載置させ、連動して可動するものである。
【０００６】
上記発明によれば、グリル皿を引き出すとき、ローラーよる可動部分の接触面積の低下により、長期間使用してもスムースでガタツキのない可動が可能となる。
【０００７】
【発明の実施形態】
請求項１記載の発明は、調理物を載置するグリル網と、前記グリル網の下方に設けたグリル皿と、前記グリル皿を収納するグリル庫と、前記グリル庫入口側に取り付けた固定ローラーを有する固定レールと、前記固定ローラーの外周に接触し左右の動きが制限され前後方向に動く移動レールと、移動レールのグリル庫奥側には固定レールに外周が接触し左右の動きが制限される移動ローラーを備え、前記移動レールにグリル皿を載置させ、連動して可動する機構を有したことを特徴とするものであり、グリル皿を引き出すとき、ローラーよる可動部分の接触面積の低下により、長期間使用してもスムースでガタツキのない可動が可能となる。
【０００８】
請求項２記載の発明は、特に、調理物の下の左右に棒状バーナを備え、前記バーナの下方に固定レールと移動レールを備えた構成としたものであり、左右のバーナからの熱の影響がうけにくく、熱膨張によるレール、およびローラーの動作不良が生じにくくなる。また、グリル皿の脂を溜める受け部分より遠ざかり、かつ調理物から落ちる脂は左右のバーナ炎によって焼ききるため、レールおよびローラーには脂がかかりにくくなり、脂によるレールの固着を防止できる。
【０００９】
請求項３記載の発明は、特に、左右の移動レールを連結した状態でグリル皿を載置し、連動して可動させる構成としたものであり、左右のレールが同時に動くため、グリル皿をレールに載置する際、簡単にグリル皿をレールに載置しやすくなり、また、スライダーの横方向のガタツキが少なくなり、引き出し時の動きがよりスムースになり、静音性も向上する。
【００１０】
請求項４記載の発明は、特に、左右の移動レールの連結を少なくとも前後２箇所で連結する構成としたものであり、左右のレールの横方向ガタツキは前のみを連結するより少なくなり、より動きがスムースになり、静音性もさらに向上する。
【００１１】
請求項５記載の発明は、調理物を載置するグリル網と、前記グリル網の下方に設けたグリル皿と、前記グリル皿を収納するグリル庫を有し、前記グリル庫入口側には回転可動なローラーを取り付け、前記グリル皿の下部には前記ローラーの外周に接触し、かつ左右の動きを制限されるレールを取り付け、前記レール奥側のグリル庫との接触点を半球状の形状としたことを特徴としたものであり、少ない部品点数で、ローラーによる可動部分の接触面積の低下により、スムースでガタツキのない可動が可能となる。
【００１２】
請求項６記載の発明は、特に、グリル皿下部のかつグリル庫側の接触面に低摩擦性の表面処理を施したことを特徴としたものであり、レール奥側とグリル庫の接触抵抗が低減され、より動きがスムースになり、静音性も向上する。
【００１３】
請求項７記載の発明は、特に、グリル皿の前面に設け、グリル皿に連動して前後方向に動くグリル扉の内部確認用の前面ガラスの上部に、断熱体を設けたことを特徴としたものであり、調理終了後、グリル皿を引き出して調理物を取出す時、高温のガラスの上面に誤って手が触れても、断熱体で断熱されているので火傷を防止することができる。
【００１４】
【実施例】
以下、本発明の実施例について、図面を参照しながら説明する。
【００１５】
（実施例１）
図１は本発明のガス調理器の外観図で、（ａ）は上面図、（ｂ）は正面図である。
【００１６】
図において、操作パネル１の左側にグリル扉２が配置されており、本体後方にはグリルの排気を庫外に排出するグリル排気口３が設けられている。本体上の左には左コンロ４、右には右コンロ５、奥には奥コンロ６が設置されている。
【００１７】
図２は本発明の実施例１のグリルの横断面図で、（ａ）は全体を示す図、（ｂ）はグリル庫１１の横断面拡大図、（ｃ）はローラ部分の詳細図である。図３は同グリルの縦断面図で、（ａ）はグリル皿１２を収納した状態を示す図、（ｂ）はグリル皿１２を引き出した状態を示す図、（ｃ）はレール部分の詳細図である。グリル庫内の中央にはグリル網７が置かれ、その上には調理物８が載置される。グリル網７の下横には調理物８の下面を焼く左右の下バーナ９が設置され、その外側には調理物８の上面を焼く左右の上バーナ１０が設置されている。グリル庫内の下方にはグリル庫１１を設置し、グリル庫１１には調理物８から落ちる脂を受けて溜めるグリル皿１２が載置されている。グリル庫１１には、左右の固定レール１３を設置し、固定レール１３には、かしめ等により締結された固定ピン１４と、固定ピン１４を軸として回転可動な固定ローラー１５を設置している。固定ローラー１５の外周には溝１６を設け、左右の移動レール１７は固定ローラー１５の外周上面に接触し、かつ曲げフランジ部１８を溝１６に挿入している。
【００１８】
一方、移動レール１７のグリル庫１１奥側にも、かしめ等により締結された固定ピン１９と、固定ピン１９を軸として回転可動な移動ローラー２０を設置している。移動ローラー２０の外周にも溝２１を設け、固定レール１３は移動ローラー２０の外周に接触し、かつ固定レール１３の曲げフランジ部２２が溝２１に挿入されている。溝１６、２１に挿入された曲げフランジ部１８、２２により、移動レール１７が前後方向に動く時の左右の動きが制限される。
【００１９】
移動レール１７の前部には突起２３が設けられており、突起２３はグリル皿１２の開けられた穴に通され、移動レール１７とグリル皿１２は連動して可動する。グリル皿１２の後端は移動レール１７の後部に設けられた爪２４にかけられ、グリル皿１２が持ち上がらないようなされている。グリル皿１２にはグリル扉２が連結されており、グリル扉２を引くことによりグリル網７、グリル皿１２、移動レール１７が連動して引き出される。移動レール１７の後部にはストッパー２５が設置されており、固定レール１３の前方のストッパー２６と当る事により、移動レール１７が前方に抜ける事を防ぐように構成されている。
【００２０】
次に、上記構成におけるガス調理器の作用を説明する。使用者が魚等の調理物８を焼く場合、調理物８をグリル皿１１上のグリル網７に載置し、グリル庫１１へ収納する。そして、下バーナ９と上バーナ１０を点火させることにより、調理物を加熱する。
【００２１】
以上のように、本実施例においては移動レール１７の接触点は、後方は移動ローラー２０の外周と固定レール１３、前方は固定ローラー１５の外周の２点だけであるので、接触面積は極めて小さく、かつローラーが回転可動であるので、移動レール１７が前後に動くときにの摩擦力が小さく、移動レール１７は極めてスムースに動く。よって移動レール１７に連結されたグリル扉２とグリル皿１２を引き出す際も非常にスムースに動き、かつガタも少なくなる。
【００２２】
（実施例２）
図４は本発明の実施例２のグリルの横断面図で、（ａ）はグリル庫１１の横断面の拡大図、（ｂ）はローラ部分の詳細図である。固定ピン１４と固定ローラー１５を備えた左右の固定レール１３と、固定ピン１９と移動ローラー２０を備えた左右の移動レール１７を、左右の下バーナ９の該真下側に設置した構成としている。
【００２３】
以上のように、本実施例においては固定レール１３と、移動レール１７は左右方向で下バーナ９の該真下に設置されているため、下バーナ９からの熱の影響がうけにくく、熱膨張による固定ローラー１５、移動ローラー２０、移動レール１７の動作不良が生じにくくなる。また、グリル皿１２の脂を溜める受け部分より遠ざかり、かつ調理物８から落ちる脂は下バーナ９の炎によって焼ききるため、移動レール１７には脂がかかりにくくなり、脂によるレールの固着を防止できる。
【００２４】
（実施例３）
図５は本発明の実施例３のグリルの上断面図である。左右の移動レール１７の前部は前フレーム２７によって連結され、左右の移動レール１７が同時に動く構成としている。
【００２５】
以上のように、本実施例においては左右の移動レール１７が同時に動くため、グリル皿１２を移動レール１７に載置する際、図２の突起２３とグリル皿１２の位置決めが左右バラバラにならず、簡単にグリル皿１２を移動レール１７に載置しやすくなる。また、移動レール１７の横方向のガタツキが少なくなり、引き出し時の動きがよりスムースになり、静音性も向上する。
【００２６】
（実施例４）
図６は本発明の実施例４のグリルの上断面図である。左右の移動レール１７の前部は前フレーム２７によって連結され、かつ後部を後フレーム２８によって連結され、左右の移動レール１７が同時に動く構成としている。
【００２７】
以上のように、本実施例においては移動レール１７の前後を連結することにより、移動レール１７の横方向のガタツキは前のみを連結するより少なくなり、より動きがスムースになり、静音性もさらに向上する。
【００２８】
（実施例５）
図７は本発明の実施例５のグリルの横断面図で、（ａ）はグリル庫１１の横断面の拡大図、（ｂ）はローラ部分の詳細図であり、図８は本発明の実施例５のグリルの縦断面図である。グリル庫内の中央にはグリル網７が置かれ、その上には調理物８が載置される。グリル網７の下横には調理物８の下面を焼く左右の下バーナ９が設置され、その外側には調理物８の上面を焼く左右の上バーナ１０が設置されている。グリル庫内の下方にはグリル庫１１を設置し、グリル庫１１には調理物８から落ちる脂を受けて溜めるグリル皿１２が載置されている。グリル庫１１にはまた、入り口側にかしめ等により締結された固定ピン２９と、固定ピン２９を軸として回転可動なローラー３０を取り付けている。ローラー３０の外周には溝３１を設け、グリル皿１２の下部にはレール３２を取り付け、レール３２の曲げフランジ部３３は溝３１に挿入されている。レール３２の奥側の下面には半球状のダボ３４を設け、グリル庫１１と接触する。グリル皿１２にはグリル扉２が連結されており、グリル扉２を引くことによりグリル網７、グリル皿１２、レール３２が連動して引き出される。溝３１に挿入された曲げフランジ部３３により、グリル扉引出し時の左右の動きは制限される。またレール３２の奥側上面には、ストッパー３５が設けられ、引き出していくとストッパー３５がローラー３０に当り、グリル皿１２が容易に前方に抜けない構成としている。
【００２９】
以上のように、本実施例においてはグリル庫１１には回転可動なローラー３０をグリル庫１１入り口側に取り付け、グリル皿１２の下部にはローラー３０の外周に接触し、かつ左右の動きを制限されるレール３２を取り付け、レール３２奥側の下面にはグリル庫１１と接触する半球状のダボ３４を設けたことにより、少ない部品点数で、ローラー３０とダボ３４による可動部分の接触面積の低下により、スムースでガタツキのない可動が可能となる。
【００３０】
（実施例６）
図９は本発明の実施例６のグリルの上断面図である。グリル庫１１上面でダボ３４が接触する接触部３６にフッ素塗装、またはめっきなどの低摩擦性の表面処理を施した構成としている。
【００３１】
以上のように、本実施例においてはグリル庫１１上面でダボ３４が接触する接触部３６に低摩擦性の表面処理を施したことにより、レール３２奥側とグリル庫１１の接触抵抗が低減され、より動きがスムースになり、静音性も向上する。
【００３２】
（実施例７）
図１０は本発明の実施例７のグリル扉の断面図である。グリル扉２は、金属製の枠３７と、内部確認用のガラス３８と、取っ手３９と、枠３７に取付けたゴム製の断熱体４０で構成されている。
【００３３】
以上のように、本実施例においてはグリル皿１２の前面に設け、グリル皿１２に連動して前後方向に動くグリル扉２の内部確認用の前面ガラス３８の上部に、断熱体４０を設けたことにより、調理終了後、グリル皿１２を引き出して調理物８を取出す時、高温のガラス３８の上面に誤って手が触れても、断熱体４０で断熱されているので火傷を防止することができる。
【００３４】
【発明の効果】
以上の説明から明らかのように、本発明のガス調理器によれば、グリル扉を引き出す際に、非常にスムースに動き、かつガタも少なくすることができる。
【図面の簡単な説明】
【図１】本発明のガス調理器の外観図
【図２】本発明の実施例１のグリルの横断面図
【図３】本発明の実施例１のグリルの縦断面図
【図４】本発明の実施例２のグリルの横断面図
【図５】本発明の実施例３のグリルの上部断面図
【図６】本発明の実施例４のグリルの上部断面図
【図７】本発明の実施例５のグリルの横断面図
【図８】本発明の実施例５のグリルの縦断面図
【図９】本発明の実施例６のグリルの上部断面図
【図１０】本発明の実施例７のグリル扉の断面図
【符号の説明】
２  グリル扉
７  グリル網
８  調理物
９  下バーナ
１１  グリル庫
１２  グリル皿
１３  固定レール
１５  固定ローラー
１７  移動レール
２０  移動ローラー
３８  ガラス
４０  断熱体
【図１】
2004353960.tif 000003
【図２】
2004353960.tif 000004
【図３】
2004353960.tif 000005
【図４】
2004353960.tif 000006
【図５】
2004353960.tif 000007
【図６】
2004353960.tif 000008
【図７】
2004353960.tif 000009
【図８】
2004353960.tif 000010
【図９】
2004353960.tif 000011
【図１０】
2004353960.tif 000012